(57)【要約】【課題】ＩＤ番号の登録／削除がグループ毎に容易に行える入退室管理システムを得る。【解決手段】グループ別に用意された登録モード用ＩＤカード３ａ（１）〜３ａ（ｎ）、削除モード用ＩＤカード３ｂ（１）〜３ｂ（ｎ）、及び全削除用ＩＤカード３ｃ（１）〜３ｃ（ｎ）を活用することにより、カードリーダー１内の入退室管理制御部６は容易にグループ別の入退室管理を実現できる。これにより、ＩＤカード紛失時にも該当するグループのみを削除することにより、他のグループへの影響をなくすことができる。さらに、元々のＩＤ番号としてグループ分けに必要な情報をあらかじめ持たせる必要なしに、組織の流動的な変化等に対応して、グループ別に登録・削除できる機能を活用して容易に入退室管理が実現できる。【選択図】図１
2005038236.tif 000002
【特許請求の範囲】
【請求項１】
ＩＤカードからＩＤ番号を読み取るカード読取部と、
入退室可能なＩＤ番号をグループ毎に蓄積する入退室可能ＩＤ番号データベースと、
グループ毎の登録モード用ＩＤ番号をあらかじめ記憶しておく登録モード用ＩＤ番号記憶部と、
前記カード読取部で読み取られたＩＤ番号が前記登録モード用ＩＤ番号記憶部に記憶されたいずれかのグループのＩＤ番号と等しいときは、動作モードを該当するグループの登録モードに切替え、切替えられた登録モード時に前記カード読取部で読み取られたＩＤ番号を前記入退室可能ＩＤ番号データベースの該当するグループに登録する入退室管理制御部と
を備えたことを特徴とする入退室管理システム。
【請求項２】
ＩＤカードからＩＤ番号を読み取るカード読取部と、
入退室可能なＩＤ番号をグループ毎に蓄積する入退室可能ＩＤ番号データベースと、
グループ毎の削除モード用ＩＤ番号をあらかじめ記憶しておく削除モード用ＩＤ番号記憶部と、
前記カード読取部で読み取られたＩＤ番号が前記削除モード用ＩＤ番号記憶部に記憶されたいずれかのグループのＩＤ番号と等しいときは、動作モードを該当するグループの削除モードに切替え、切替えられた削除モード時に前記カード読取部で読み取られたＩＤ番号を前記入退室可能ＩＤ番号データベースの該当するグループから削除する入退室管理制御部と
を備えたことを特徴とする入退室管理システム。
【請求項３】
ＩＤカードからＩＤ番号を読み取るカード読取部と、
入退室可能なＩＤ番号をグループ毎に蓄積する入退室可能ＩＤ番号データベースと、
グループ毎の全削除用ＩＤ番号をあらかじめ記憶しておく全削除用ＩＤ番号記憶部と、
前記カード読取部で読み取られたＩＤ番号が前記全削除用ＩＤ番号記憶部に記憶されたいずれかのグループのＩＤ番号と等しいときは、前記入退室可能ＩＤ番号データベース内の該当するグループに登録済みの全てのＩＤ番号を削除する入退室管理制御部と
を備えたことを特徴とする入退室管理システム。
【請求項４】
請求項１に記載の入退室管理システムにおいて、
前記登録モード用ＩＤ番号記憶部は、あらかじめ記憶された全グループ共通の登録モード用ＩＤ番号をさらに有し、
前記入退室管理制御部は、前記カード読取部で読み取られたＩＤ番号が全グループ共通の前記登録モード用ＩＤ番号と等しいときは全グループ共通の登録モードに切替え、全グループ共通の登録モードのときには前記カード読取部で読み取られたＩＤ番号を前記入退室可能ＩＤ番号データベースの全グループに登録することを特徴とする入退室管理システム。
【請求項５】
請求項２に記載の入退室管理システムにおいて、
前記削除モード用ＩＤ番号記憶部は、あらかじめ記憶された全グループ共通の削除モード用ＩＤ番号をさらに有し、
前記入退室管理制御部は、前記カード読取部で読み取られたＩＤ番号が全グループ共通の前記削除モード用ＩＤ番号と等しいときは全グループ共通の削除モードに切替え、全グループ共通の削除モードのときには前記カード読取部で読み取られたＩＤ番号を前記入退室可能ＩＤ番号データベースの全グループから削除することを特徴とする入退室管理システム。
【請求項６】
請求項３に記載の入退室管理システムにおいて、
前記全削除用ＩＤ番号記憶部は、あらかじめ記憶された全グループ共通の全削除用ＩＤ番号をさらに有し、
前記入退室管理制御部は、前記カード読取部で読み取られたＩＤ番号が全グループ共通の前記全削除用ＩＤ番号と等しいときは前記入退室可能ＩＤ番号データベース内の全グループに登録済みの全てのＩＤ番号を削除することを特徴とする入退室管理システム。
【請求項７】
請求項１ないし６のいずれか１項に記載の入退室管理システムにおいて、
前記入退室管理制御部は、複数のグループのそれぞれに対応してあらかじめ定められた入退室を許可する時間帯に応じて、時間帯による入退室管理を行うことを特徴とする入退室管理システム。
【発明の詳細な説明】
【技術分野】
【０００１】
本発明は、ＩＤ番号により個人識別を行い、扉を制御する入退室管理システムに関するものである。
【背景技術】
【０００２】
従来の入退室管理システムにおいては、企業コード、部所コード、個人ＩＤに分類して記憶されているＩＤ情報に対応して、管理センタに入退室を許可するための認証レベルをあらかじめ設定しておき、入退室の制限を管理している（例えば、特許文献１参照）。これにより、個人ＩＤを個々に登録することなく、企業コードや部所コードにより簡便に入退室の制限を管理することができる。また、ＩＤカードを紛失した場合には、個人を特定する情報（個人ＩＤ）を紛失ＩＤカードの対象として管理センタに登録することにより、入退室を拒否するように管理している。
【０００３】
【特許文献１】特開平１１−１８４９９１号公報（第２頁、図２）
【発明の開示】
【発明が解決しようとする課題】
【０００４】
しかしながら、従来技術には次のような問題点がある。管理センタを備えた従来技術においては、大量の個人ＩＤを処理するには適しているが、入退室の制限を管理するための個人ＩＤの登録、及びＩＤカード紛失時の登録削除を行うためには管理センタでの操作が必要となり、手間がかかる。また、あらかじめ分類して記憶されているＩＤ情報に基づいてグループ分けをした入退室管理を行っているが、部所等の変動が生じるとＩＤ情報自体の修正もしくは管理センタの登録データの変更が必要であり、多くの労力を要する。
【０００５】
本発明は上述のような課題を解決するためになされたもので、ＩＤ番号の登録／削除がグループ毎に容易に行える入退室管理システムを得ることを目的とする。
【課題を解決するための手段】
【０００６】
本発明に係る入退室管理システムは、ＩＤカードからＩＤ番号を読み取るカード読取部と、入退室可能なＩＤ番号をグループ毎に蓄積する入退室可能ＩＤ番号データベースと、グループ毎の登録モード用ＩＤ番号をあらかじめ記憶しておく登録モード用ＩＤ番号記憶部と、カード読取部で読み取られたＩＤ番号が登録モード用ＩＤ番号記憶部に記憶されたいずれかのグループのＩＤ番号と等しいときは、動作モードを該当するグループの登録モードに切替え、切替えられた登録モード時にカード読取部で読み取られたＩＤ番号を入退室可能ＩＤ番号データベースの該当するグループに登録する入退室管理制御部とを備えたものである。
【発明の効果】
【０００７】
本発明によれば、グループ毎の登録モード／削除モードを備えることにより、ＩＤ番号の登録／削除がグループ毎に容易に行え、グループ別にＩＤ番号を管理できる入退室管理システムを得ることができる。
【発明を実施するための最良の形態】
【０００８】
実施の形態１．
以下、本発明の実施の形態を図面に基づいて説明する。図１は、本発明の実施の形態１に係る入退室管理システムのブロック図である。本実施の形態では、グループ分けによる入退室管理を説明するが、以下の説明ではそのグループを１〜ｎのｎグループに分割する場合を示す。
【０００９】
入退室管理を行う扉にはカードリーダー１が設置されている。また、入退室管理を行う扉は、電気錠２によって施開錠される。通行者は、個人が所有しているＩＤカード３をカードリーダー１に読み取らせることにより、扉を開くことができ、通行が可能となる。通行者個人に支給されるＩＤカード３には、ＩＤ番号４があらかじめ記録されている。カードリーダー１はＩＤ番号４を読み取ることにより、ＩＤカード３の識別を行う。そして、ＩＤカード３の識別結果に基づいて電気錠２を制御することにより、扉の施開錠を行う。
【００１０】
グループ１〜ｎの登録モード用ＩＤカード３ａ（１）〜３ａ（ｎ）には、カードリーダー１の動作モードを該当するグループの登録モードに変更するための登録モード用ＩＤ番号があらかじめ記憶されている。また、グループ１〜ｎの削除モード用ＩＤカード３ｂ（１）〜３ｂ（ｎ）には、カードリーダー１の動作モードを該当するグループの削除モードに変更するための削除モード用ＩＤ番号があらかじめ記憶されている。さらに、グループ１〜ｎの全削除用ＩＤカード３ｃ（１）〜３ｃ（ｎ）には、該当するグループに登録済みの全てのＩＤ番号を削除するための全削除モード用ＩＤ番号があらかじめ記憶されている。これらグループ毎の登録モード用ＩＤカード、削除モード用ＩＤカード、全削除用ＩＤカードは、例えば入退室管理を行う管理責任者によって管理され、新たなＩＤ番号の登録、及び登録済みＩＤ番号の削除を行う際に活用される。
【００１１】
次に、カードリーダー１の内部構成要素にしたがって、電気錠２の施開錠制御の流れ、及びＩＤ番号の登録／削除の処理手順について、以下に詳述する。まず始めに、ＩＤカード３内のＩＤ番号４の読み取り結果に基づいて電気錠２を制御する流れを、カードリーダー１の内部構成要素にしたがって説明する。カード読取部５は、ＩＤカード３内のＩＤ番号４を読み取り、読み取り結果を入退室管理制御部６に送る。また、グループ１〜ｎの入退室可能ＩＤ番号データベース１０（１）〜１０（ｎ）は、入退室が許可されたＩＤ番号４をグループ別に記憶しているデータベースである。
【００１２】
入退室管理制御部６は、カード読取部５で読み取られたＩＤ番号４の識別を行う。読み取られたＩＤ番号４がグループ１〜ｎの入退室可能ＩＤ番号データベース１０（１）〜１０（ｎ）のいずれかに既に登録されているときは、入退室管理制御部６は電気錠２を開錠するために電気錠制御部７に開錠指令を送る。電気錠制御部７は、開錠指令に基づいて電気錠２を一定時間開錠し、扉が開かれることとなる。
【００１３】
次に、グループ１〜ｎの入退室可能ＩＤ番号データベース１０（１）〜１０（ｎ）に対して新たなＩＤ番号４を登録する際の処理手順を、カードリーダー１の内部構成要素にしたがって説明する。カードリーダー１は、グループ１〜ｎの登録モード用ＩＤ番号記憶部８（１）〜８（ｎ）を個別に有している。このグループ１〜ｎの登録モード用ＩＤ番号記憶部８（１）〜８（ｎ）には、各グループに対応した登録モード用ＩＤ番号があらかじめ記憶されている。これらの登録モード用ＩＤ番号は、グループ１〜ｎの入退室可能ＩＤ番号データベース１０（１）〜１０（ｎ）のいずれかに新たなＩＤ番号４を登録する際に、カードリーダー１の動作モードを登録モードに変更するための識別番号として用いられる。
【００１４】
新たなＩＤ番号４をグループ１〜ｎの入退室可能ＩＤ番号データベース１０（１）〜１０（ｎ）のいずれかに登録するには、まず始めにグループ１〜ｎの登録モード用ＩＤカード３ａ（１）〜３ａ（ｎ）のいずれかをカードリーダー１に読み取らせる。以下の説明ではグループｍに登録する場合について説明する。グループｍの登録モード用ＩＤカード３ａ（ｍ）は、動作モードをグループｍの登録モードに変更するための識別用ＩＤ番号に相当するグループｍの登録モード用ＩＤ番号を有している。入退室管理制御部６は、カード読取部５で読み取ったＩＤ番号４が、グループｍの登録モード用ＩＤ番号記憶部８（ｍ）に記憶されているグループｍの登録モード用ＩＤ番号と一致したときには、動作モードを直ちにある一定時間、グループｍの登録モードに変更する。
【００１５】
グループｍの登録モード中に、新規登録を行いたいＩＤカード３をカードリーダー１に読み込ませることによって、グループｍの入退室可能ＩＤ番号データベース１０（ｍ）への新規登録が行える。入退室管理制御部６は、グループｍの登録モード中にカード読取部５が読み取った新たなＩＤ番号４を取得すると、取得したＩＤ番号４をグループｍの入退室可能ＩＤ番号データベース１０（ｍ）に登録する。入退室可能なＩＤ番号４としてグループｍの入退室可能ＩＤ番号データベース１０（ｍ）に一度登録が完了すると、次回からは登録済みのＩＤ番号４を有するこのＩＤカード３を用いての入退室が可能となる。
【００１６】
次に、グループ１〜ｎの入退室可能ＩＤ番号データベース１０（１）〜１０（ｎ）のいずれかから既に登録されているＩＤ番号４を削除する際の処理手順を、カードリーダー１の内部構成要素にしたがって説明する。カードリーダー１は、グループ１〜ｎの削除モード用ＩＤ番号記憶部９（１）〜９（ｎ）を個別に有している。このグループ１〜ｎの削除モード用ＩＤ番号記憶部９（１）〜９（ｎ）には、各グループに対応した削除モード用ＩＤ番号があらかじめ記憶されている。これらの削除モード用ＩＤ番号は、グループ１〜ｎの入退室可能ＩＤ番号データベース１０（１）〜１０（ｎ）のいずれかに登録されているＩＤ番号４を削除する際に、カードリーダー１の動作モードを削除モードに変更するための識別番号として用いられる。
【００１７】
既に入退室可能として登録済みのＩＤ番号４をグループ１〜ｎの入退室可能ＩＤ番号データベース１０（１）〜１０（ｎ）のいずれかから削除するには、まず始めにグループ１〜ｎの削除モード用ＩＤカード３ｂ（１）〜３ｂ（ｎ）のいずれかをカードリーダー１に読み取らせる。以下の説明ではグループｍから削除する場合について説明する。グループｍの削除モード用ＩＤカード３ｂ（ｍ）は、動作モードをグループｍの削除モードに変更するための識別用ＩＤ番号に相当するグループｍの削除モード用ＩＤ番号を有している。入退室管理制御部６は、カード読取部５で読み取ったＩＤ番号４が、グループｍの削除モード用ＩＤ番号記憶部９（ｍ）に記憶されているグループｍの削除モード用ＩＤ番号と一致したときには、動作モードを直ちにある一定時間、削除モードに変更する。
【００１８】
グループｍの削除モード中に、削除を行いたいＩＤカード３をカードリーダー１に読み込ませることによって、グループｍの入退室可能ＩＤ番号データベース１０（ｍ）からの削除が行える。入退室管理制御部６は、グループｍの削除モード中にカード読取部５が読み取ったＩＤ番号４を取得すると、取得したＩＤ番号４をグループｍの入退室可能ＩＤ番号データベース１０（ｍ）から削除する。入退室可能であったＩＤ番号４のグループｍからの削除が完了すると、次回からは削除済みのＩＤ番号４を有するこのＩＤカード３を用いての入退室がグループｍとしては不可能となる。
【００１９】
上述のグループ１〜ｎの登録モード用ＩＤカード３ａ（１）〜３ａ（ｎ）と、グループ１〜ｎの削除モード用ＩＤカード３ｂ（１）〜３ｂ（ｎ）は、例えば入退室管理を行う管理責任者によって管理される。グループへの登録またはグループからの削除を行うには、これらグループ１〜ｎの登録モード用ＩＤカード３ａ（１）〜３ａ（ｎ）またはグループ１〜ｎの削除モード用ＩＤカード３ｂ（１）〜３ｂ（ｎ）を読み取らせて動作モードを変更した後に所望のＩＤカード３を読み取らせることとなる。これにより、グループ１〜ｎの入退室可能ＩＤ番号データベース１０（１）〜１０（ｎ）の所望のグループに対する新たなＩＤ番号４の登録、及び既に登録されているＩＤ番号４の削除が、管理センタなどの介在なしにカードリーダー１から容易に行うことができる。
【００２０】
上述の削除方法は、グループ１〜ｎの削除モード用ＩＤカード３ｂ（１）〜３ｂ（ｎ）を用いて、ＩＤカード単位での削除を行っている。すなわち、ＩＤ番号４をグループ１〜ｎの入退室可能ＩＤ番号データベース１０（１）〜１０（ｎ）のいずれかの該当するグループから個別に削除するものである。次に、グループ１〜ｎの全削除用ＩＤカード３ｃ（１）〜３ｃ（ｎ）を用いて、グループ毎の全削除を行う方法について説明する。
【００２１】
カードリーダー１は、グループ１〜ｎに対応した全削除用ＩＤ番号をあらかじめ記憶させておくグループ１〜ｎの全削除用ＩＤ番号記憶部１１（１）〜１１（ｎ）を有している。これらグループ１〜ｎの全削除用ＩＤ番号は、既にグループ１〜ｎの入退室可能ＩＤ番号データベース１０（１）〜１０（ｎ）のいずれかに登録されているグループ内の全てのＩＤ番号４を一括して削除することを、カードリーダー１が判断するための識別番号として用いられる。
【００２２】
既に登録済みのグループ内の全てのＩＤ番号４をグループ１〜ｎの入退室可能ＩＤ番号データベース１０（１）〜１０（ｎ）のいずれかから一括して削除するには、グループ１〜ｎの全削除用ＩＤカード３ｃ（１）〜３ｃ（ｎ）のいずれかをカードリーダー１に読み取らせる。以下の説明ではグループｍ内の全てのＩＤ番号４を一括削除する場合について説明する。グループｍの全削除用ＩＤカード３ｃ（ｍ）は、グループｍの一括削除を判断するための識別用ＩＤ番号に相当する全削除用ＩＤ番号を有している。入退室管理制御部６は、カード読取部５で読み取ったＩＤ番号４が、グループｍの全削除用ＩＤ番号記憶部１１（ｍ）に記憶されている全削除用ＩＤ番号と一致した場合には、グループｍの入退室可能ＩＤ番号データベース１０（ｍ）に登録されている全てのＩＤ番号４を一括削除する。
【００２３】
上述のグループ１〜ｎの全削除用ＩＤカード３ｃ（１）〜３ｃ（ｎ）は、登録モード用ＩＤカード３ａ（１）〜３ａ（ｎ）及び削除モード用ＩＤカード３ｂ（１）〜３ｂ（ｎ）とともに、例えば入退室管理を行う管理責任者によって管理される。このグループ１〜ｎの全削除用ＩＤカード３ｃ（１）〜３ｃ（ｎ）のいずれかを読み取らせることにより、グループ１〜ｎの入退室可能ＩＤ番号データベース１０（１）〜１０（ｎ）のいずれかに登録されたＩＤ番号４のグループ内の一括削除が行える。管理センタなどの介在なしにカードリーダー１からの１回の操作で、グループ内に登録されている全てのＩＤ番号４を容易に削除できる。ＩＤカードを紛失した場合にも、該当するグループのみに登録されているＩＤカード番号４の一括削除を行えば、全てのグループのデータにまで影響を及ぼさずに防犯上の対策が施せる。
【００２４】
本実施の形態ではｎ個のグループに分けて入退室管理を行っている。グループ別に用意されたグループ１〜ｎの登録モード用ＩＤカード３ａ（１）〜３ａ（ｎ）、グループ１〜ｎの削除モード用ＩＤカード３ｂ（１）〜３ｂ（ｎ）、及びグループ１〜ｎの全削除用ＩＤカード３ｃ（１）〜３ｃ（ｎ）を用いることにより、これらの作業が所望のグループに分けて行えることとなる。
【００２５】
従来技術においては、グループ別の管理を行うために、あらかじめ個人に割り当てられるＩＤ番号４を企業コード、部所コード、個人ＩＤなどのような複数の情報から構成する必要があった。本実施の形態においては、あらかじめ個人に割り当てられるＩＤ番号４は個人ＩＤの情報だけから構成されている場合であっても、容易にグループ別の管理が行える点が特徴である。
【００２６】
例えば、ある特定のメンバーに対して特定の期間だけ入退室の許可を与えるために、グループｍを割り付ける場合について説明する。この特定のメンバーを登録するにはグループｍの登録モード用ＩＤカード３ａ（ｍ）を使用して、上述したグループｍへの登録手順を施す。これにより、該当するＩＤ番号４をグループｍの通行可能データベース１０（ｍ）に登録できる。そして特定の期間が過ぎると、グループｍの全削除用ＩＤカード３ｃ（ｍ）を使用して、上述したグループｍの全削除手順を施す。これにより、グループｍの通行可能データベース１０（ｍ）に登録されているＩＤ番号４を一括して容易に削除できる。
【００２７】
さらに、例えばある特定のメンバーに対して特定の期間だけ入退室の許可を与えた際に、メンバーの入れ替えが発生した場合を考える。Ｘさんが特定のメンバーからはずれ、Ｙさんが特定のメンバーとして新たに加わった場合について説明する。Ｘさんの削除は、グループｍの削除モード用ＩＤカード３ｂ（ｍ）を使用して、上述したグループｍからの削除手順を施す。これにより、該当するＩＤ番号４をグループｍの通行可能データベース１０（ｍ）から削除できる。また、Ｙさんの登録は、グループｍの登録モード用ＩＤカード３ａ（ｍ）を使用して、上述したグループｍへの登録手順を施す。これにより、該当するＩＤ番号４をグループｍの通行可能データベース１０（ｍ）に登録できる。
【００２８】
さらに、あるメンバーを複数のグループにまたがって登録しておくこともできる。例えばＺさんのＩＤ番号４が、グループｍとグループｎの両方に登録されているとする。その場合、グループｍの入退室を許可する特定の期間が経過した後にグループｍの全削除を行ったとしても、Ｚさんに関してはまだグループｎに登録されているため引き続き入退室を許可することができる。
【００２９】
以上のように、グループ別に用意された登録モード用ＩＤカード３ａ（１）〜３ａ（ｎ）、削除モード用ＩＤカード３ｂ（１）〜３ｂ（ｎ）、及び全削除用ＩＤカード３ｃ（１）〜３ｃ（ｎ）を活用することにより、容易にグループ別の入退室管理が実現できる。元々のＩＤ番号４に部所コードなどの情報を含んでおらず、組織の流動的な変化に対してもＩＤ番号４の変更などが不要である。さらに、グループ分けは例えば組織別にしたり、有効な期間別にしたり、目的に応じて使い分けることができる。さらに、複数の組織にまたがっているメンバーの入退室管理も容易に行える。さらに、ＩＤカード紛失時にも全てのデータを削除せずに必要最小限のグループのデータのみの削除で、防犯上の対応を取ることができる。
【００３０】
図２は、本発明の実施の形態１に係るカードリーダー１内の入退室管理制御部６による処理のフローチャートである。初期モードからスタートし（Ｓ２０１）、まずＩＤ番号４がカード読取部５で読み取られたかを判断する（Ｓ２０２）。ＩＤ番号４が読み取られたと判断すると、読み取られたＩＤ番号４がグループ１〜ｎの登録モード用ＩＤ番号記憶部８（１）〜８（ｎ）に記憶されている登録モード用ＩＤ番号のいずれかと一致するかを判断する（Ｓ２０３）。
【００３１】
読み取られたＩＤ番号４がグループ１〜ｎのいずれかの登録モード用ＩＤ番号と一致した場合には、動作モードを該当グループの登録モードに切替え、新たなＩＤ番号４の登録処理に移る（Ｓ２０４）。以下の説明ではグループｍに登録する場合について説明する。グループｍの登録モードにおいては、グループｍの登録モード用ＩＤ番号が読み取られた後の一定時間内に、グループｍに登録を行いたいＩＤカード３がカード読取部５によって読み取られるかを待つこととなる（Ｓ２０５）。一定時間内にグループｍに登録を行いたいＩＤカード３が読み取られない場合には、グループｍの登録モードを終了してステップ番号Ｓ２０１の初期モードに戻る。
【００３２】
一方、一定時間内にグループｍに登録を行いたいＩＤカード３が読み取られた場合には、読み取ったＩＤカード３内のＩＤ番号４をグループｍの入退室可能ＩＤ番号データベース１０（ｍ）に登録する（Ｓ２０６）。その後、再度ステップ番号Ｓ２０４のグループｍの登録モードに戻り、新たにグループｍに登録を行いたいＩＤカード３の読み取りを待つこととなる。一定時間経過しても新たにグループｍに登録を行いたいＩＤカード３の読み取りがない場合には、グループｍの登録モードを終了してステップ番号Ｓ２０１の初期モードに戻る。
【００３３】
先のステップ番号Ｓ２０３において、読み取られたＩＤ番号４がグループ１〜ｎの登録モード用ＩＤ番号のいずれとも一致しない場合には、読み取られたＩＤ番号４がグループ１〜ｎの削除モード用ＩＤ番号記憶部９（１）〜９（ｎ）に記憶されている削除モード用ＩＤ番号のいずれかと一致するかを判断する（Ｓ２０７）。
【００３４】
読み取られたＩＤ番号４がグループ１〜ｎのいずれかの削除モード用ＩＤ番号と一致した場合には該当グループの削除モードに切替え、既に登録済みのＩＤ番号４の削除処理に移る（Ｓ２０８）。以下の説明ではグループｍから削除する場合について説明する。グループｍの削除モードにおいては、グループｍの削除モード用ＩＤ番号が読み取られた後の一定時間内に、グループｍから削除を行いたいＩＤカード３がカード読取部５によって読み取られるかを待つこととなる（Ｓ２０９）。一定時間内にグループｍから削除を行いたいＩＤカード３が読み取られない場合には、グループｍの削除モードを終了してステップ番号Ｓ２０１の初期モードに戻る。
【００３５】
一方、一定時間内にグループｍから削除を行いたいＩＤカード３が読み取られた場合には、読み取ったＩＤカード３内のＩＤ番号４をグループｍの入退室可能ＩＤ番号データベース１０（ｍ）から削除する（Ｓ２１０）。その後、再度ステップ番号Ｓ２０８の削除モードに戻り、新たにグループｍから削除を行いたいＩＤカード３の読み取りを待つこととなる。一定時間経過しても新たにグループｍから削除を行いたいＩＤカード３の読み取りがない場合には、グループｍの削除モードを終了してステップ番号Ｓ２０１の初期モードに戻る。
【００３６】
先のステップ番号Ｓ２０７において、読み取られたＩＤ番号４がグループ１〜ｎの削除モード用ＩＤ番号のいずれとも一致しない場合には、読み取られたＩＤ番号４がグループ１〜ｎの全削除用ＩＤ番号記憶部１１（１）〜１１（ｎ）に記憶されているグループ１〜ｎの全削除用ＩＤ番号のいずれかと一致するかを判断する（Ｓ２１１）。以下の説明ではグループｍの全削除を行う場合について説明する。一致した場合には、グループｍの入退室可能ＩＤ番号データベース１０（ｍ）に登録されている全てのＩＤ番号４を削除し（Ｓ２１２）、その後ステップ番号Ｓ２０１の初期モードに戻る。
【００３７】
先のステップ番号Ｓ２１１において、読み取られたＩＤ番号４がグループ１〜ｎの全削除用ＩＤ番号のいずれとも一致しない場合には、読み取られたＩＤ番号４が既にグループ１〜ｎの入退室可能ＩＤ番号データベース１０（１）〜１０（ｎ）内に登録されているＩＤ番号４と一致するかを判断する（Ｓ２１３）。
【００３８】
一致した場合には、電気錠制御部７に対して開錠指令を出すことにより電気錠２を一時開錠し（Ｓ２１４）、ステップ番号Ｓ２０１の初期モードに戻る。一方、先のステップ番号Ｓ２１３で不一致と判断された場合には、グループ１〜ｎの入退室可能ＩＤ番号データベース１０（１）〜１０（ｎ）のいずれにも未登録のＩＤ番号４が読み取られたことに相当し、電気錠２の開錠操作を行わずにステップ番号Ｓ２０１の初期モードに戻る。
【００３９】
実施の形態１によれば、グループ別に用意された登録モード用ＩＤカード、削除モード用ＩＤカード、及び全削除用ＩＤカードを活用することにより、容易にグループ別の入退室管理が実現できる。これにより、ＩＤカード紛失時にも該当するグループのみを削除することにより、他のグループへの影響をなくすことができる。さらに、元々のＩＤ番号としてグループ分けに必要な情報をあらかじめ持たせる必要なしに、組織の流動的な変化等に対応して、グループ別に登録・削除できる機能を活用して容易に入退室管理が実現できる。さらに、グループ分けは例えば組織別にしたり、有効な期間別にしたり、目的に応じて使い分けることができる。さらに、複数の組織にまたがったメンバーの入退室管理も容易に行える。
【００４０】
実施の形態２．
実施の形態１では、登録モード用ＩＤ番号と削除モード用ＩＤ番号をｎ個のグループに分けて管理する場合について説明した。さらに実施の形態２では、全グループ共通の登録モード用ＩＤ番号、全グループ共通の削除モード用ＩＤ番号、及び全グループ共通の全削除用ＩＤ番号を適用する場合について説明する。
【００４１】
図３は、本発明の実施の形態２に係る入退室管理システムのブロック図である。図１に対して、全グループ共通の登録モード用ＩＤ番号記憶部８、全グループ共通の削除モード用ＩＤ番号記憶部９、及び全グループ共通の全削除用ＩＤ番号記憶部１１が新たに付加されている点が異なっている。
【００４２】
まず始めに、グループ１〜ｎの入退室可能ＩＤ番号データベース１０（１）〜１０（ｎ）の全てに対して新たなＩＤ番号４を登録する際の処理手順を、カードリーダー１の内部構成要素にしたがって説明する。カードリーダー１は、全グループ共通の登録モード用ＩＤ番号記憶部８を有している。この全グループ共通の登録モード用ＩＤ番号記憶部８には、全グループ共通の登録モード用ＩＤ番号があらかじめ記憶されている。この全グループ共通の登録モード用ＩＤ番号は、グループ１〜ｎの入退室可能ＩＤ番号データベース１０（１）〜１０（ｎ）の全てに対して新たなＩＤ番号４を登録する際に、カードリーダー１の動作モードを全グループ共通の登録モードに変更するための識別番号として用いられる。
【００４３】
新たなＩＤ番号４をグループ１〜ｎの入退室可能ＩＤ番号データベース１０（１）〜１０（ｎ）の全てに登録するには、まず始めに全グループ共通の登録モード用ＩＤカード３ａをカードリーダー１に読み取らせる。全グループ共通の登録モード用ＩＤカード３ａは、動作モードを全グループ共通の登録モードに変更するための識別用ＩＤ番号に相当する全グループ共通の登録モード用ＩＤ番号を有している。入退室管理制御部６は、カード読取部５で読み取ったＩＤ番号４が、全グループ共通の登録モード用ＩＤ番号記憶部８に記憶されている全グループ共通の登録モード用ＩＤ番号と一致したときには、動作モードを直ちにある一定時間、全グループ共通の登録モードに変更する。
【００４４】
全グループ共通の登録モード中に、新規登録を行いたいＩＤカード３をカードリーダー１に読み込ませることによって、グループ１〜ｎの入退室可能ＩＤ番号データベース１０（１）〜１０（ｎ）全てへの新規登録が行える。入退室管理制御部６は、全グループ共通の登録モード中にカード読取部５が読み取った新たなＩＤ番号４を取得すると、取得したＩＤ番号４をグループ１〜ｎの入退室可能ＩＤ番号データベース（１）〜１０（ｎ）全てに登録する。入退室可能なＩＤ番号４としてグループ１〜ｎの入退室可能ＩＤ番号データベース（１）〜１０（ｎ）全てに一度登録が完了すると、次回からは登録済みのＩＤ番号４を有するこのＩＤカード３を用いての入退室が可能となる。
【００４５】
次に、グループ１〜ｎの入退室可能ＩＤ番号データベース１０（１）〜１０（ｎ）の全てから既に登録されているＩＤ番号４を削除する際の処理手順を、カードリーダー１の内部構成要素にしたがって説明する。カードリーダー１は、全グループ共通の削除モード用ＩＤ番号記憶部９を有している。この全グループ共通の削除モード用ＩＤ番号記憶部９には、全グループ共通の削除モード用ＩＤ番号があらかじめ記憶されている。この全グループ共通の削除モード用ＩＤ番号は、グループ１〜ｎの入退室可能ＩＤ番号データベース１０（１）〜１０（ｎ）の全てのグループから削除を行いたいＩＤ番号４を探し出して削除する際に、カードリーダー１の動作モードを全グループ共通の削除モードに変更するための識別番号として用いられる。
【００４６】
既に入退室可能として登録済みのＩＤ番号４をグループ１〜ｎの入退室可能ＩＤ番号データベース１０（１）〜１０（ｎ）の全てから探し出して削除するには、まず始めに全グループ共通の削除モード用ＩＤカード３ｂをカードリーダー１に読み取らせる。全グループ共通の削除モード用ＩＤカード３ｂは、動作モードを全グループ共通の削除モードに変更するための識別用ＩＤ番号に相当する全グループ共通の削除モード用ＩＤ番号を有している。入退室管理制御部６は、カード読取部５で読み取ったＩＤ番号４が、全グループ共通の削除モード用ＩＤ番号記憶部９に記憶されている全グループ共通の削除モード用ＩＤ番号と一致したときには、動作モードを直ちにある一定時間、全グループ共通の削除モードに変更する。
【００４７】
全グループ共通の削除モード中に、削除を行いたいＩＤカード３をカードリーダー１に読み込ませることによって、グループ１〜ｎの入退室可能ＩＤ番号データベース１０（１）〜１０（ｎ）全てからの削除が行える。入退室管理制御部６は、全グループ共通の削除モード中にカード読取部５が読み取ったＩＤ番号４を取得すると、取得したＩＤ番号４をグループ１〜ｎの入退室可能ＩＤ番号データベース（１）〜１０（ｎ）全てから探し出して削除する。入退室可能であったＩＤ番号４の全グループからの削除が完了すると、次回からは削除済みのＩＤ番号４を有するこのＩＤカード３を用いての入退室が不可能となる。
【００４８】
次に、グループ１〜ｎの入退室可能ＩＤ番号データベース１０（１）〜１０（ｎ）の全てから既に登録されている全てのＩＤ番号４を一括削除する際の処理手順を、カードリーダー１の内部構成要素にしたがって説明する。カードリーダー１は、全グループ共通の全削除用ＩＤ番号記憶部１１を有している。この全グループ共通の全削除用ＩＤ番号記憶部１１には、全グループ共通の全削除用ＩＤ番号があらかじめ記憶されている。この全グループ共通の全削除用ＩＤ番号は、既にグループ１〜ｎの入退室可能ＩＤ番号データベース１０（１）〜１０（ｎ）に登録されている全てのＩＤ番号４を一括して削除することを、カードリーダー１が判断するための識別番号として用いられる。
【００４９】
既に登録済みの全てのＩＤ番号４をグループ１〜ｎの入退室可能ＩＤ番号データベース１０（１）〜１０（ｎ）全てから一括して削除するには、全グループ共通の全削除用ＩＤカード３ｃをカードリーダー１に読み取らせる。全グループ共通の全削除用ＩＤカード３ｃは、全グループの一括削除を判断するための識別用ＩＤ番号に相当する全削除用ＩＤ番号を有している。入退室管理制御部６は、カード読取部５で読み取ったＩＤ番号４が、全グループ共通の全削除用ＩＤ番号記憶部１１に記憶されている全グループ共通の全削除用ＩＤ番号と一致した場合には、グループ１〜ｎの入退室可能ＩＤ番号データベース１０（１）〜１０（ｎ）全てに登録されている全てのＩＤ番号４を一括削除する。
【００５０】
上述の全グループ共通の登録モード用ＩＤカード３ａ、全グループ共通の削除モード用ＩＤカード３ｂ、及び全グループ共通の全削除用ＩＤカード３ｃは、例えば入退室管理を行う管理責任者によって管理される。これらの全グループ共通のＩＤカードを用いることにより、個別のＩＤ番号４の全グループへの登録と全グループからの削除、及び全ＩＤ番号の全グループからの削除が容易に行える。管理センタなどの介在なしにカードリーダー１からの容易な操作で、グループにまたがって登録されているＩＤ番号４の登録、削除が行える。
【００５１】
全グループ共通の処理を行う場合のメリットを以下に説明する。例えばＺさんのＩＤ番号４が、グループｍとグループｎの両方に登録されている場合に、その両方の登録を削除したい場合を仮定する。この場合、全グループ共通の削除モード用ＩＤ番号を用いれば、１回の操作でＺさんのＩＤ番号４を全グループから削除することができる。グループｍからの削除操作とグループｎからの削除操作の２回の操作を行わずに済むメリットがある。
【００５２】
一方、全グループ共通の登録モード用ＩＤ番号を用いれば、例えばある特権階級の人を全グループに対して登録することが、１回の操作で行える。また、全グループ共通の全削除用ＩＤ番号を用いれば、全グループの削除が１回の操作で行える。
【００５３】
実施の形態２によれば、全グループ共通の登録モード用ＩＤカード、削除モード用ＩＤカード、及び全削除用ＩＤカードを活用することにより、複数のグループにまたがったＩＤ番号の登録及び削除を、一括した操作で実現でき、操作回数の低減を図ることができる。
【００５４】
実施の形態３．
実施の形態１及び２では、入退室が許可される特定の期間が経過したら、グループ内のＩＤ番号を一括して削除することにより入退室の管理を行うことができる。実施の形態３では、グループに対応してある特定の期間内の有効な時間帯をあらかじめ設定しておくことにより、時間に応じた入退室管理を行う場合について説明する。
【００５５】
例えばグループｍはＡＭ８時〜ＰＭ８時、グループｎはＰＭ８時〜ＡＭ８時とあらかじめ設定しておくことにより、ＩＤ番号４が登録されているグループに応じて１日の時間帯における入退室許可を管理できる。時間帯によらず１日中入退室を許可する対象者は、グループｍとグループｎの両方に登録する。また、昼勤対象者はグループｍに登録し、夜勤対象者はグループｎに登録する。このように入退室が許可された時間帯に応じたグループ分けをして登録を行うことにより、時間帯による入退室管理が容易に実現できる。また、時間帯の区分けは平日と休日で行うことなども可能である。
【００５６】
実施の形態３によれば、複数のグループのそれぞれに対応して入退室を許可する時間帯をあらかじめ定めておくことにより、時間帯による入退室管理が容易に実現できる。
【００５７】
なお、上記の実施の形態１ないし３では、ｎ個のグループに対して個別に記憶部やデータベースを有する場合について説明したが、１つの記憶部または１つのデータベースの内部でｎ通りのデータを持たせることも可能である。また、ＩＤカードの紛失時に、該当するＩＤカード番号だけを削除するために、予備の管理用ＩＤカードを備えておくことが考えられる。予備の管理用ＩＤカードがあれば、ＩＤカードの紛失時にもグループ内のＩＤ番号を全て削除する必要がなくなり、グループ内への再登録の手間を省くことができる。
【図面の簡単な説明】
【００５８】
【図１】本発明の実施の形態１に係る入退室管理システムのブロック図である。
【図２】本発明の実施の形態１に係るカードリーダー内の入退室管理制御部による処理のフローチャートである。
【図３】本発明の実施の形態２に係る入退室管理システムのブロック図である。
【符号の説明】
【００５９】
１  カードリーダー、２  電気錠、３  ＩＤカード、３ａ  全グループ共通の登録モード用ＩＤカード、３ａ（１）〜３ａ（ｎ）  グループ１〜ｎの登録モード用ＩＤカード、３ｂ  全グループ共通の削除モード用ＩＤカード、３ｂ（１）〜３ｂ（ｎ）  グループ１〜ｎの削除モード用ＩＤカード、３ｃ  全グループ共通の全削除用ＩＤカード、３ｃ（１）〜３ｃ（ｎ）  グループ１〜ｎの全削除用ＩＤカード、４  ＩＤ番号、５  カード読取部、６  入退室管理制御部、７  電気錠制御部、８  全グループ共通の登録モード用ＩＤ番号記憶部、８（１）〜８（ｎ）  グループ１〜ｎの登録モード用ＩＤ番号記憶部、９  全グループ共通の削除モード用ＩＤ番号記憶部、９（１）〜９（ｎ）  グループ１〜ｎの削除モード用ＩＤ番号記憶部、１０（１）〜１０（ｎ）  グループ１〜ｎの入退室可能ＩＤ番号データベース、１１  全グループ共通の全削除用ＩＤ番号記憶部、１１（１）〜１１（ｎ）  グループ１〜ｎの全削除用ＩＤ番号記憶部。
【図１】
2005038236.tif 000003
【図２】
2005038236.tif 000004
【図３】
2005038236.tif 000005